(57)【要約】      （修正有）【課題】日々持ち歩き使用頻度の高いリュックサックに傘支持具を装着し、そのリュックサックを背負うことにより、快適に傘をさし両手を自由にできるようにした傘支持具を提供する。【解決手段】傘固定マスト１１の底部には左右の補助マストを貫く回転軸ボルトを備え、これを軸として傘固定マスト１１をリュックサック後方に回転し、傘を使用しない時には傘固定マスト１１を後方に折り曲げリュックサックに取り付けた畳み傘の携行を容易にすることができる。取り付けフレームに固着された左右２本の補助マスト１２には、その上部に左右それぞれマスト固定ピン１３を備え、可動式の傘固定マスト１１を中央に挟みながら補助マスト１２にピンで固定し、傘固定マスト１１を不動状態に保持できる傘支持具が使用可能となる。【選択図】図１
2017104471.tif 000002
【特許請求の範囲】
【請求項１】
取り付けフレームには、折り畳み傘を支持するための可動式の傘固定マストと、そのマストを左右から挟んで不動状態に保持する固定式の補助マストを備え、リュックサックの背当て側に装着できることを特徴とする傘支持具。
【請求項２】
中空管状の傘固定マストは、支持する折り畳み傘の手元（ハンドル）を取り外した状態で中軸（シャフト）を傘固定マストの底部まで挿入し、そのマスト上部には前後にそれぞれ中軸固定ボルトを備えて挿入した中軸（シャフト）を挟みながら確実に固定して傘を支持できること。また、傘固定マストの底部には左右の補助マストを貫く回転軸ボルトを備え、これを軸として傘固定マストはリュックサック後方に回転し、これにより傘を使用しない時には傘を折り畳んで傘固定マストを後方に折り曲げ、リュックサックに取り付けたまま傘の携行を容易にできることを特徴とする傘支持具。
【請求項３】
取り付けフレームに固着された左右２本の補助マストには、その上部に左右それぞれマスト固定ピンを備え、可動式の傘固定マストを中央に挟みながら補助マストに左右のピンで固定し、可動式の傘固定マストを固定状態に保持できることを特徴とする傘支持具。
【発明の詳細な説明】
【技術分野】
【０００１】  本発明は、日常的に携行し使用頻度の高いリュックサックに折り畳み傘の支持具を取り付けることにより両手を自由にできるようにした傘支持具に関する。
【背景技術】
【０００２】  傘をさしながらスマートフォン等を操作したいときや、自転車に乗る際に手がふさがれる不便を解消するため、装着器具を用いて身体や自転車等に装着可能とした傘の支持具が各種提案されている。例えば、特開２００４−１６７９４号公報には、傘を取り付けることのできる固定主柱、肩バンド付き肩平板、背中ゴムバンド付背中平板等からなり、傘を固定できるようにした傘支持用具が紹介されている。また、特開２００２−２８２０３５号公報には、リュックサックのザックホルダーに傘の中軸を固定する部品、ショルダーストラップに傘の手元を固定する２個の部品等からなり、リュックサックの２点で傘を支持できるようにした傘支持具が紹介されている。【０００３】  また、ベルト状の支持具に傘固定具を取り付け、手を使うことなく傘をさすことのできる傘支持具も提案されている。例えば、特開２００８−１０００１９号公報には、肩掛け式のベルトにチューブ状の傘固定具を取り付けた傘支持具が紹介されている。更に、特開２００５−４８３４６号公報には、ジャッケット式ベルトにポケットとクリップにより傘を固定する傘支持具が紹介されている。
【先行技術文献】
【特許文献】
【０００４】
【特許文献１】特開２００８−１０００１９号公報
【特許文献２】特開２００５−４８３４６号公報
【特許文献３】特開２００４−１６７９４号公報
【特許文献４】特開２００２−２８２０３５号公報
【発明の概要】
【発明が解決しようとする課題】
【０００５】  しかしながら、以上の技術によれば、特許文献１、特許文献２、特許文献４の傘支持具は一般的な長尺傘を使用できるという利点はあるが、肩掛け式ベルト、ジャッケット式ベルト及びリュックサック用の傘ホルダーはベルト状の支持基盤（プラットホーム）に傘を固定してあり、ベルトは捻じれ等に弱く支持基盤としては不安定である。また、ベルト状の傘支持具は左右ベルトの一方に取り付けとなるため傘体は使用者頭上の中心から外れてしまい防雨性に問題がある。【０００６】  これに対して特許文献３に記載の傘支持具は、一般的な長尺傘を使用できるという利点や使用者の背中側中心から傘を支持して頭上付近で傘を差せる防雨性の利点はあるが、傘立スタンド器具は傘を支持するためだけの仕掛けとしては器具を構成する部品がやや多く大掛かりでコストも高く、傘を使用しない時には他に用途も無く携行に負担を感じるという問題がある。【０００７】  本発明は、上記の事情に鑑みてなされたものであって、その目的とするところは日常的に携行し使用頻度の高いリュックサックに折り畳み傘を常時取り付けリュックサック本体と一体同化して携行することができる利便性、使用者の頭上付近で傘を差せる防雨性、リュックサック本体へ取り付けることによる安定性を備えた傘支持具を提供することにある。
【課題を解決するための手段】
【０００８】  本発明の第１の視点によれば、取り付けフレームには折り畳み傘を支持するための可動式の傘固定マストと、そのマストを左右から挟んで不動状態に保持する固定式の補助マストを備え、リュックサックの背当て側に装着できることを特徴とする傘が提供される。【０００９】  また、本発明の第２の視点によれば、中空管状の傘固定マストには支持する折り畳み傘の手元（ハンドル）を取り外した状態で中軸（シャフト）を傘固定マストの底部まで挿入し、そのマスト上部には前後にそれぞれ中軸固定ボルトを備えて挿入した中軸（シャフト）を挟みながら確実に固定して傘を支持できること。また、傘固定マストの底部には左右の補助マストを貫く回転軸ボルトを備え、これを軸として傘固定マストはリュックサック後方に回転し、傘を使用しない時には傘を折り畳んで傘固定マストを後方に折り曲げ、リュックサックに取り付けたまま傘の携行を容易にできることを特徴とする傘が提供される。【００１０】  更に、本発明の第３の視点によれば、取り付けフレームに固着された左右２本の補助マストには、その上部に左右それぞれマスト固定ピンを備え、可動式の傘固定マストを中央に挟みながら補助マストに左右のピンで固定し、可動式の傘固定マストを固定状態に保持できることを特徴とする傘が提供される。
【発明の効果】
【００１０】  本発明によれば、わざわざ傘を固定するためだけの傘支持具を携行することなく、日常的に携行し使用頻度の高いリュックサックに折り畳み傘を常時取り付け、リュックサックと一体同化して携行することができる利便性、使用者の頭上付近で傘を差せる防雨性及びリュックサック本体へ取り付けることによる安定性のみならず、傘を使用しない時は折り畳んで中軸固定マストを後方に折り曲げたまま傘を携行すると共にリュックサック本来の機能も使用ができ、使い勝手も良好な傘支持具が得られる。
【図面の簡単な説明】
【００１１】
【図１】本発明の実施形態に係る傘支持具を取り付けた状態の斜視図である。
【図２】本発明の実施形態に係る傘支持具の正面図である。
【図３】本発明の実施形態に係る傘支持具の側面図である。
【図４】本発明の実施形態に係る傘支持具の上面図である。
【発明を実施するための形態】
【００１２】  本発明を実施するための形態について図面を参照して詳細に説明する。図１は傘支持具をリュックサック本体に取り付けた状態の斜視図であり、［図２］、［図３］及び［図４］は正面図、側面図及び上面図である。［図２］、［図３］及び［図４］を参照すると、本発明の実施形態に係る傘支持具は、取り付けフレーム１０と、傘固定マスト１１と、補助マスト１２と、マスト固定ピン１３と、回転軸ボルト１４と、中軸固定ボルト１５と、取り付け紐１６から構成されている。
【００１３】  本実施形態では、取り付けフレーム１０の上部には折り畳み傘を支持するための可動式の傘固定マスト１１と、そのマストを左右から挟んで不動状態に保持する固定式の補助マスト１２を備え、リュックサックの背当て側に装着される構成となっている。
【００１４】  本実施形態では、中空管状の傘固定マスト１１には支持する折り畳み傘の手元（ハンドル）を取り外した状態で中軸（シャフト）を傘固定マスト１１の底部まで挿入し、そのマスト上部には前後にそれぞれ中軸固定ボルト１５を備えて挿入した中軸（シャフト）を挟みながら確実に固定して傘を支持できる構成となっている。また、傘固定マスト１１の底部には左右の補助マスト１２を貫く回転軸ボルト５を備え、これを軸として傘固定マスト１１は後方に回転し、傘を使用しない時には折り畳んで傘固定マスト１１を後方に折り曲げ、リュックサックに取り付けたまま傘の携行を容易にする構成になっている。
【００１５】  本実施形態では、取り付けフレーム１０に固着された左右２本の補助マスト１２には、その上部に左右それぞれマスト固定ピン１３を備え、可動式の傘固定マスト１１を中央に挟みながら補助マスト１２に左右のピンで固定し、可動式の傘固定マストを固定状態に保持できること構成となっている。
【００１６】  続いて、本実施形態に係る傘支持具の装着、折り畳み傘の装着及び傘支持具の動作について説明する。まず、傘支持具のリュックサック本体への装着は、図１に表されたように取り付けフレーム１０をリュックサックの背当て側に当てて行い、左右の上部取り付け紐、左右の中部取り付け紐及び左右の下部取り付け紐により、ショルダーハーネスやリュックサック本体の部品等に縛り付けて装着する。次に、付けフレーム１０上部の傘固定マスト１１を後方に折り曲げ、中空管状の傘固定マスト１１に畳み傘の手元（ハンドル）を取り外した状態で中軸（シャフト）を傘固定マスト１１の底部まで挿入し、そのマスト上部にある前後２本の中軸固定ボルト１５で確実に中軸（シャフト）を固定して折り畳み傘の装着が完成する。
【００１７】  上記状態から折り畳み傘を使用するため、傘支持具の動作について説明する。使用者はリュックサックを背負い、リュックサックのショルダーハーネスに付属しているチェーストベルトを締め、リュックサック本体及び傘支持具の装着を安定させる。次に、リュックサックの後方へ折り曲げてある傘固定マスト１１を片手で前方の補助マスト１２まで戻し、両手で左右補助マスト１２の両外側、マスト固定ピン１３の湾曲部分を掴み、中心方向に圧しながら傘固定マスト１１の上部ピン穴にピン先端を押し入れ、傘固定マスト１１を不動状態にする。これにより傘支持具の動作は完了し、後は折り畳み傘の中軸（シャフト）を伸ばして下ろくろを押し上げてロックすれば使用可能状態となる。
【００１８】  傘を使用しない時には、リュックサックを背負ったままで傘を折り畳み、両手で左右のマスト固定ピン１３を引き抜き、傘固定マスト１１をリュックサック後方に折り曲げて、そのままリュックサックの一部として快適に携行することができる。
【００１９】  以上、本発明の実施形態を説明したが、本発明の技術的範囲は上記した実施形態に限定されるものではなく、取り付けフレーム、傘固定マスト、補助マスト等を備えてリュックサックに装着する傘支持具であるという本発明の趣旨を逸脱しない範囲で、各種の変形や置換えをなしうることが可能であることは言うまでもない。
【００２０】  例えば、上記実施形態では取り付けフレームを取り付け紐によりリュックサックの背当て側に縛り付けて装着した傘支持具を例示して説明したが、リュックサックの製造過程で取り付けフレームを本体に組み込めば取り付け紐は不要となり、更に取り付け強度は増し傘支持具の安定性を増大させる。
【００２１】  また、更なる傘支持具の安定増大のため、ウエストベルトの追加や各種リュックサックのサイズ及び形状、その他の使用目的に応じて形やサイズ等の変更が可能である。
【００２２】  また、取り付けフレームを支持基盤（プラットホーム）としてスマートフォン等を支持するため左右のフレームに自在アームを追加することにより、多目的支持基盤として傘支持具の機能を拡張させることができる。
【符号の説明】
【００２３】  １０    取り付けフレーム
１１    傘固定マスト
１２    補助マスト（左右）
１３    マスト固定ピン（左右）
１４    回転軸ボルト
１５    中軸固定ボルト（前後）
１６    取り付け紐（左右の上部、左右の中部、左右の下部）
１７    折り畳み傘の中軸（シャフト）
【図１】
2017104471.tif 000003
【図２】
2017104471.tif 000004
【図３】
2017104471.tif 000005
【図４】
2017104471.tif 000006